(57)【要約】【課題】消費電力を低減させるとともに装置本体の長寿命化を図ったディジタル放送受信装置を提供する。【解決手段】電源部１３は、スタンバイ時においても、制御部２及びＯＯＢ１２及びPODカード２００に電流を供給する。ここで、電源部１３は、スイッチ１５を介してPODカード２００に電流を供給し、スイッチ１６を介してＯＯＢ１２に電流を供給する。電源部１３からの電流供給によって、PODカード２００はアップデート信号が送信されてきていないかをＯＯＢ１２で監視し続ける。制御部２は、スタンバイ時にスイッチ１５を開き、電源部１３が行なうPODカード２００への電流供給を停止させる電源停止機能を有する。【選択図】図１
2007228386.tif 000002
【特許請求の範囲】
【請求項１】
ＩＣカード基本動作プログラムであるファームウェアを記憶するＩＣカードが装置本体にセットされるディジタル放送受信装置において、
電源オン時又は該電源オンを待ち受けるスタンバイ時に、前記ファームウェアのアップデートに関するアップデート信号を受信する受信手段と、
前記電源オン時又は前記スタンバイ時に、前記ＩＣカード及び前記受信手段に電流を供給する電源手段と、
前記スタンバイ時に、前記電源手段が行なう前記ＩＣカード又は前記受信手段への電流供給を停止させる電源停止機能を有する電源管理手段と、
前記スタンバイ時に前記ファームウェアのアップデートを自動で行うか否かの表示を表示器に行なう表示手段と、
前記スタンバイ時に前記ファームウェアのアップデートを自動で行うか否かを前記表示器の表示から選択する操作手段と、を備え、
前記電源管理手段は、前記操作手段によって前記ファームウェアのアップデートを自動で行うことが選択された場合は前記電源停止機能を無効にし、自動で行わないことが選択された場合は前記電源停止機能を有効にするディジタル放送受信装置。
【請求項２】
ＩＣカード基本動作プログラムであるファームウェアを記憶するＩＣカードが装置本体にセットされるディジタル放送受信装置において、
電源オン時又は該電源オンを待ち受けるスタンバイ時に、前記ファームウェアのアップデートに関するアップデート信号を受信する受信手段と、
前記電源オン時又は前記スタンバイ時に、前記ＩＣカード及び前記受信手段に電流を供給する電源手段と、
前記スタンバイ時に、前記電源手段が行なう前記ＩＣカードへの電流供給を停止させる電源停止機能を有する電源管理手段と、を備えるディジタル放送受信装置。
【請求項３】
前記電源管理手段の前記電源停止機能は、前記スタンバイ時に、さらに、前記電源手段が行なう前記受信手段への電流供給を停止させる請求項２に記載のディジタル放送受信装置。
【請求項４】
前記スタンバイ時に前記ファームウェアのアップデートを自動で行うか否かの表示を表示器に行なう表示手段と、
前記スタンバイ時に前記ファームウェアのアップデートを自動で行うか否かを前記表示器の表示から選択する操作手段と、を備え、
前記電源管理手段は、前記操作手段によって前記ファームウェアのアップデートを自動で行うことが選択された場合は前記電源停止機能を無効にし、自動で行わないことが選択された場合は前記電源停止機能を有効にする請求項２又は３に記載のディジタル放送受信装置。
【発明の詳細な説明】
【技術分野】
【０００１】
本発明は、ファームウェアを記憶するＩＣカードを装置本体にセットするディジタル放送受信装置に関し、特に、該ファームウェアのアップデートを行うディジタル放送受信装置に関するものである。
【背景技術】
【０００２】
従来、ＴＶ（テレビジョン）では、テレビ放送信号を伝送し、ＴＶ局から各家庭に伝送された放送番組をユーザが自由に選択して視聴できるようになっている。さらに、近年、ディジタル圧縮符号化技術を利用して、映像・音声信号等の圧縮、多重化伝送等を行うことにより、限られた周波数帯で多数の番組を効率的に伝送できるディジタル放送が注目されている。
【０００３】
以下、ディジタル放送を代表して、CATVのディジタル放送を対象に説明する。
上記映像・音声信号は、一般的に、スクランブルがかかった状態で配信されてくる。そのため、スクランブルを解除するためのＩＣカードを装置本体にセットしてデスクランブルを行なわなければならない。ＩＣカードは、例えばPOD（Point  of  Deployment）カードである。ＩＣカードは、ファームウェアを記憶する記憶部を有する。ファームウェアは、ＩＣカードを基本動作させるＩＣカード基本動作プログラムである。記憶部は、例えばフラッシュメモリで構成される。
【０００４】
デスクランブルを行うことにより、契約ユーザは、CATVディジタル放送受信装置に接続された表示器において、テレビ番組などを正常に視聴することができる。表示器は、例えばモニター、テレビジョンである。
【０００５】
このような環境において、上記ファームウェアは、定期的にアップデートすることが必要になっている。特に、北米ディジタル放送においては、定期的にアップデートすることが必要になっている。このアップデートにより、現在のバージョンより後に登場した、装置本体の制御プログラムや制御データの取扱手順などに対応できるようになる。制御データの取扱手順は、例えば制御データのファイル形式、プロトコル、又は制御データのデコード方法である。また、このアップデートにより、古いバージョンのファームウェアに含まれるバグ（不具合）の修正が行なわれることもある。
【０００６】
そのため、上記従来のCATVディジタル放送受信装置においてＩＣカードは、電源オン時及びスタンバイ時に、アップデート信号が送信されてきていないかを受信手段で監視し続け、アップデートがあればファームウェアのアップデートを自動的に行っていた。アップデート信号は、ファームウェアのアップデートに関する信号であり、例えばホーミング信号である。スタンバイ時とは、電源オンを待ち受ける状態をいう。受信手段は、例えばチューナで構成される。そして、電源手段は、電源オン時及びスタンバイ時に、上記アップデートのための電流を受信手段及びＩＣカードに供給していた。
【０００７】
一方、特許文献１に記載されたようなディジタル放送受信装置が提案されている。このディジタル放送受信装置は、ＩＤ番号に基づいて、装置本体のユーザが属するグループを判別し、そのグループに対する資格付与データの送信時間帯を判別する判別手段と、上記送信時間帯でない場合、資格付与データを取得するのに必要な回路の電源をオフにさせ、上記送信時間帯である場合、資格付与データを取得するのに必要な回路の電源をオンにさせる制御手段と、を備える。
資格付与データは、ユーザに対し、契約によって定められたユーザが視聴することができるチャンネル（番組）を示すデータ（契約情報）、及びスクランブルを解除するためのキーデータである。資格付与データは、ユーザのＩＤとともに送信される。
なお、このディジタル放送受信装置は、各グループ毎に予め定められた送信時間帯に資格付与データが送信されてくることを前提としている。
【特許文献１】特開平１１−３５５７５２号公報
【発明の開示】
【発明が解決しようとする課題】
【０００８】
しかしながら、ファームウェアのアップデートは、電源オン時及びスタンバイ時において常に行わなければ装置本体の使用が即困難になるという性質のものではない。つまり、電源手段は、電源オン時及びスタンバイ時において受信手段及びＩＣカードに電流供給し、上記従来のCATVディジタル放送受信装置においてＩＣカードは、受信手段においてアップデート信号が送信されてきていないかを監視し続けているが、これらの動作を常に行う必要はない。
従って、上記従来のディジタル放送受信装置には、受信手段及びＩＣカードへの電流供給に必要な電力が無駄になっているという問題があった。この問題は、ランニングコストを増大させ、装置本体を所有するユーザに経済的な負担を与えるという問題を引き起こしていた。また、そのような無駄な電力は、環境問題にも発展するという問題もある。また、電源オン時及びスタンバイ時に、アップデート信号が送信されてきていないかを受信手段で監視し続けるため、装置本体の短寿命化の原因になっていたという問題もあった。
また、特許文献１では、送信時間帯でない場合に資格付与データを取得するのに必要な回路の電源をオフしているが、ファームウェアのアップデートに関するものではない。従って、特許文献１では、上記従来のディジタル放送受信装置と同様の問題が生じる。
【０００９】
本発明はこのような従来の課題を解決しようとするものであり、スタンバイ時に電源手段が行なうＩＣカードへの電流供給を停止させて該スタンバイ時におけるファームウェアのアップデートの監視を制限し、消費電力を低減させるとともに装置本体の長寿命化を図ったディジタル放送受信装置を提供することを目的とする。
【課題を解決するための手段】
【００１０】
本発明のディジタル放送受信装置は、前記課題を解決するために以下の構成を備えている。
【００１１】
（１）ＩＣカード基本動作プログラムであるファームウェアを記憶するＩＣカードが装置本体にセットされるディジタル放送受信装置において、
電源オン時又は該電源オンを待ち受けるスタンバイ時に、前記ファームウェアのアップデートに関するアップデート信号を受信する受信手段と、
前記電源オン時又は前記スタンバイ時に、前記ＩＣカード及び前記受信手段に電流を供給する電源手段と、
前記スタンバイ時に、前記電源手段が行なう前記ＩＣカードへの電流供給を停止させる電源停止機能を有する電源管理手段と、を備える。
【００１２】
この構成において、ＩＣカードは、例えばPOD（Point  of  Deployment）カードである。また、アップデート信号は、ファームウェアのアップデートに関する信号であり、例えばホーミング信号である。
電源手段からの電流供給によって、ＩＣカードはアップデート信号が送信されてきていないかを受信手段で監視し続ける。そのため、スタンバイ時において電源手段からの電流供給が停止されると、ＩＣカードはアップデート信号が送信されてきていないかを監視し続けることができなくなる。
以上より、装置本体の消費電力を低減させることができるという効果を奏する。また、装置本体の長寿命化を図ることができるという効果を奏する。
【００１３】
（２）前記電源管理手段の前記電源停止機能は、前記スタンバイ時に、さらに、前記電源手段が行なう前記受信手段への電流供給を停止させる。
【００１４】
この構成により、前記受信手段に電流供給しない分、装置本体の消費電力を上記（１）と比べて一層低減させることができるという効果を奏する。また、装置本体の長寿命化を上記（１）と比べて一層図ることができるという効果を奏する。
【００１５】
（３）前記スタンバイ時に前記ファームウェアのアップデートを自動で行うか否かの表示を表示器に行なう表示手段と、
前記スタンバイ時に前記ファームウェアのアップデートを自動で行うか否かを前記表示器の表示から選択する操作手段と、を備え、
前記電源管理手段は、前記操作手段によって前記ファームウェアのアップデートを自動で行うことが選択された場合は前記電源停止機能を無効にし、自動で行わないことが選択された場合は前記電源停止機能を有効にする。
【００１６】
この構成において、表示器は、例えばモニタ、装置本体内蔵の表示部、テレビジョンである。表示手段は、モニタやテレビジョンで表示を行なうのであれば、ＯＳＤにより表示を行なう。
この構成では、自動アップデートの有無に関するユーザの意志を確認している。ユーザは、表示器を見て、自動アップデートの有無を操作手段によって指定する。
以上により、ユーザの意志に基づいて電源停止機能を有効又は無効にすることができるという効果を奏する。
なお、ファームウェアのアップデートが長期に渡って行なれない場合、不具合が発生する。例えば、現在のバージョンより後に登場した、装置本体の制御プログラムや制御データの取扱手順などに対応できないようになる。そのため、上記（１）（２）（３）の構成に以下の構成を追加しても良い。
電源管理手段は、前記電源停止機能が有効であっても、前記スタンバイ時において前記電源停止機能を有効にするが、予め定められた所定日数が経つ毎に前記電源停止機能を無効にする。
所定日数は、予め定められる日数であり、例えば１０日である。所定日数は、不具合が生じないことを保証できる日数という観点から定めると良い。
これにより、ファームウェアのアップデートを長期に渡って行なわないことによる不具合が発生しないようにすることができるという効果を奏する。
【発明の効果】
【００１７】
この発明によれば、装置本体の消費電力を低減させることができるとともに装置本体の長寿命化を図ることができるという効果を奏する。
【発明を実施するための最良の形態】
【００１８】
以下、本発明の第一の実施形態であるCATVディジタル放送受信装置について説明する。
【００１９】
図１は、本発明の第一の実施形態であるCATVディジタル放送受信装置の主要な構成を示すブロック図である。CATVディジタル放送受信装置１は、装置本体１各部を制御する制御部２と、帯域内信号を受信するＩＮＢ３と、ＴＳのスクランブルを解除するデスクランブラ４と、ＴＳから映像データと音声データとを分離し、両データを伸長するデコーダ５と、該ディジタルデータを一時的に保持するバッファメモリ９と、所望のOSD（On  Screen  Display）を映像データの信号に重畳するOSD処理部６と、所望のOSDを記憶するOSD画像メモリ７と、映像データと音声データとの信号をアナログの再生信号に変換するD／A変換部８と、操作手段である操作部１１と、帯域外信号を受信するＯＯＢ１２、誤り訂正を行って制御データを取得する制御部２０１と、ファームウェア２０２Ａを記憶する記憶部２０２と、装置本体１各部に電流を供給する電源部１３と、を備える。
また、装置本体１にセットされているPOD（Point  of  Deployment）カード２００は、スクランブルを解除するためのカードである。
【００２０】
制御部２は、例えばマイクロコンピュータで構成される。制御部２は、制御プログラムを記憶するＲＯＭ２Ａと、該制御プログラムなどを展開するワークフィールドとしてのＲＡＭ２Ｂと、現在時刻の経時および時間の計測を行うタイマー回路２Ｃと、を備える。
【００２１】
操作部１１に対し、電源のオン／オフ／スタンバイ、チャンネルの切り替え、音量の調整等の命令（コマンド）が入力されると、操作部１１は、該命令を制御部２に伝送する。操作部１１は、リモコン装置を含む。ここで、スタンバイとは、電源オンを待ち受ける状態をいう。
【００２２】
ＩＮＢ（インバンド）３は、帯域内信号を受信する。ＩＮＢ３は、CATV局から伝送されてきたテレビ放送信号から、制御部２により選択されているチャンネルのテレビ放送信号を抽出する。さらに、ＩＮＢ３は、テレビ放送信号をディジタルデータであるトランスポートストリーム（ＴＳ）に復調して出力する。
【００２３】
デスクランブラ４は、ＴＳのスクランブルを解除するためのスクランブル解除キーをPODカード２００から予め受信する。そして、デスクランブラ４は、スクランブル解除キーを用いてＴＳのスクランブルを解除し、出力する。
【００２４】
デコーダ５は、制御部２が指定したPID（パケット識別子）に基づき、デスクランブラ４の出力であるトランスポートストリームから該PIDが一致するパケットを抽出し、抽出したパケットに格納されているデータをバッファメモリ９に記憶させる。そして、デコーダ５は、バッファメモリ９が記憶するデータを適宜読み出し、読み出したデータから映像データと音声データとを分離し、両データをデコードし、出力する。ＩＮＢ３から出力されるテレビ放送信号は、例えばMPEG２で圧縮された信号である。
【００２５】
デコーダ５から出力された映像データの信号は、OSD処理部６を介して、D／A変換部８に入力される。
OSD処理部６は、制御部２から与えられる制御信号に基づいて、映像データをスルーして直接出力する場合と、映像データに基づく映像にＯＳＤ画像を重ね合わせた合成映像を生成してその合成映像データを出力する場合と、ＯＳＤ画像だけのＯＳＤ画像データを出力する場合とで動作を切り替える。OSD処理部６は、OSD画像メモリ７が記憶している文字又は図形（ＯＳＤ画像）を合成する。
【００２６】
D／A変換部８は、デコーダ５が出力した映像データ又は合成映像データ又はＯＳＤ画像データの信号をアナログの映像再生信号に変換し、テレビジョン５０に出力する。また、D／A変換部８は、デコーダ５が出力した音声データの信号をアナログの音声再生信号に変換し、テレビジョン５０に出力する。
なお、この実施形態ではD／A変換部８においてアナログの信号に変換しているが、外部にディジタル信号対応のテレビジョンを接続する場合は、ディジタルの信号のまま出力しても良い。
【００２７】
これにより、ユーザは、所定のインタフェースを介して装置本体１と接続されているテレビジョン５０において、テレビ番組などを視聴することができる。
【００２８】
一方、ＯＯＢ（アウトオブバンド）１２は、帯域外信号を受信する。ＯＯＢ１２は、CATV局から伝送されてきたテレビ放送信号を周波数分離し、ディジタルデータに復調し、出力する。
【００２９】
PODカード２００は、インタフェース２０３と、PODカード２００を制御する制御部２０１と、ファームウェア２０２Ａを記憶する記憶部２０２と、を有する。
【００３０】
記憶部２０２は、例えばフラッシュメモリで構成される。ファームウェア２０２Ａは、PODカード２００を基本動作させるPODカード基本動作プログラムである。また、記憶部２０２は、ＴＳのスクランブルを解除するためのスクランブル解除キーを記憶する。
【００３１】
制御部２０１は、例えばＣＰＵで構成される。制御部２０１は、ファームウェア２０２Ａなどを展開するワークフィールドとしてのＲＡＭ（不図示）を内蔵する。制御部２０１は、ＯＯＢ１２からインタフェース２０３を介して入力されたディジタルデータに誤り訂正を行って制御データを取得する。該制御データとは、例えばPSI（Program  Specification  Information）／SI（Service  Information）である。
なお、この実施形態では、制御部２０１において制御データを取得させているが、これに限定する趣旨でなく、制御部２において取得させて利用しても良い。
【００３２】
制御部２０１は、取得した制御データの中から個人情報などのスクランブル解除用データを取得する。そして、制御部２０１は、取得したスクランブル解除用データの照合を行い、照合が成立すると、スクランブル解除キーを記憶部２０２から取出し、インタフェース２０３及び制御部２を介してスクランブル解除キーをデスクランブラ４に伝送する。この照合は、例えば契約情報照合法により行なわれる。この契約情報照合法は、まず、予め個人情報などの契約情報を記憶部２０２に記憶させておく。そして、制御部２０１が制御データの中から契約情報を取得し、該契約情報と記憶部２０２の契約情報とが一致するか否かを判定することにより行なわれる。
【００３３】
電源部１３は、電源オン時において、商用電源から装置本体１各部の駆動電源を取り出して、装置本体１各部に電流を供給する。また、電源部１３は、スタンバイ時においても、制御部２及びＯＯＢ１２及びPODカード２００に電流を供給する。ここで、電源部１３は、スイッチ１５を介してPODカード２００に電流を供給する。また、電源部１３は、スイッチ１６を介してＯＯＢ１２に電流を供給する。
【００３４】
電源部１３からの電流供給によって、PODカード２００はアップデート信号が送信されてきていないかをＯＯＢ１２で監視し続ける。
制御部２は、スイッチ１５及びスイッチ１６の開閉を制御する。制御部２は、スタンバイ時にスイッチ１５を開き、電源部１３が行なうPODカード２００への電流供給を停止させる電源停止機能を有する。これにより、スタンバイ時において、PODカード２００はアップデート信号が送信されてきていないかをＯＯＢ１２で監視し続けることができなくなる。
【００３５】
以上より、装置本体１の消費電力を低減させることができるという効果を奏する。また、装置本体１の長寿命化を図ることができるという効果を奏する。
【００３６】
なお、この実施形態の変形例として、制御部２の電源停止機能は、スタンバイ時にスイッチ１５及びスイッチ１６を開き、電源部１３が行なうＯＯＢ１２及びPODカード２００への電流供給を停止させる機能であってもよい。
これにより、ＯＯＢ１２に電流供給しない分、装置本体１の消費電力を一層低減させることができるという効果を奏する。また、装置本体１の長寿命化を一層図ることができるという効果を奏する。
【００３７】
ここで、制御部２、スイッチ１５、スイッチ１６が、本発明の「電源管理手段」に相当する。また、ＯＯＢ１２が、本発明の「受信手段」に相当する。テレビジョン５０が、本発明の「表示器」に相当する。OSD処理部６、OSD画像メモリ７、D／A変換部８が、本発明の「表示手段」に相当する。
【００３８】
以下、本発明の第ニの実施形態であるCATVディジタル放送受信装置について説明する。
【００３９】
この実施形態のCATVディジタル放送受信装置が本発明の第一の実施形態であるCATVディジタル放送受信装置と構成において異なる点は、操作部１１に設定キーと選択キーを設けた点である。設定キーは、後述の設定キー押下ルーチンを開始させるキーである。また、選択キーは、上述の電源停止機能を有効又は無効にするか等を選択するキーである。
【００４０】
図２は、本発明の第ニの実施形態であるCATVディジタル放送受信装置において制御部が行う動作を示すフローチャートである。図２で示されている設定キー押下ルーチンは、上記制御プログラムに関連する（プレインストールされている）ルーチンである。設定キー押下ルーチンは、設定キーの押下がトリガとなり、制御プログラムからコールされる。
【００４１】
ユーザによって設定キーが押下されると、制御部２は、例えば図３に示すように、スタンバイ時においてアップデートを自動で行なうか否かの表示をＯＳＤ処理部６に行なわせる（ｓ１）。
【００４２】
図３は、スタンバイ時においてアップデートを自動で行なうか否かの表示のフォーマットの一例を示す図である。OSD画像メモリ７には、スタンバイ時においてアップデートを自動で行なうか否かの表示のためのＯＳＤ画像を予め記憶させておく。ＯＳＤ処理部６は、ｓ１の指示に基づいて、OSD画像メモリ７からこのＯＳＤ画像を取り出し、映像データに基づく映像にＯＳＤ画像を重ね合わせた合成映像を生成してその合成映像データを出力したり、ＯＳＤ画像だけのＯＳＤ画像データを出力したりする。すると、ユーザは、テレビジョン５０においてこの表示を確認し、操作部１１の選択キーにより上述のアップデートを自動で行なうか否かを選択する。
なお、図３に示すように、アップデートをしない場合のメリットも併せて表示するのが好ましい。また、後述のｓ４において表示するデメリットをｓ１で表示しても構わない。
【００４３】
制御部２は、操作部１１において、アップデートを自動で行なうか否かのいずれが選択されたのかを判断する（ｓ２）。この判断は、操作部１１から伝送される命令（コマンド）により判断する。ｓ１の表示とｓ２で行われる操作とにより、制御部２は、自動アップデートの有無に関するユーザの意志を確認している。
【００４４】
アップデートを自動で行なうことが選択されたと判断すると、制御部２は、上述の電源停止機能を無効にし（ｓ３）、本処理を終了する。
【００４５】
一方、アップデートを自動で行なわないことが選択されたと判断すると、制御部２は、警告メッセージをＯＳＤ処理部６に表示させる（ｓ４）。この表示方法も、ｓ１と同様である。警告メッセージは、アップデートをしない場合の弊害を知らせるメッセージである。警告メッセージは、例えば「アップデートをしない場合、現在のバージョンより後に登場した、装置本体の制御プログラムや制御データの取扱手順などに対応できないようになる恐れがあります」である。
【００４６】
そして、制御部２は、上述の電源停止機能を有効にし（ｓ５）、本処理を終了する。
【００４７】
以上より、ユーザの意志に基づいて電源停止機能を有効又は無効にすることができるという効果を奏する。
【００４８】
なお、ファームウェア２０２Ａのアップデートが長期に渡って行なれない場合、不具合が発生する。例えば、ファームウェア２０２Ａの現在のバージョンより後に登場した、装置本体１の制御プログラムや制御データの取扱手順などに対応できないようになる。そのため、以下の構成を追加しても良い。
本発明の第一の実施形態と本発明の第ニの実施形態（具体的にはｓ５）とにおいて、制御部２は、スタンバイ時において上述の電源停止機能を有効にするが、タイマー回路２Ｃを参照して所定日数が経つ毎に上述の電源停止機能を無効にしても良い。所定日数は、予め定められる日数であり、例えば１０日である。所定日数は、不具合が生じないことを保証できる日数という観点から定めると良い。すると、スタンバイ時においてPODカード２００はアップデート信号が送信されてきていないかを監視し続けることができなくなるが、その所定日数が経つ毎にアップデート信号が送信されてきていないかを監視する。つまり、ファームウェア２０２Ａのアップデートを行なう。
これにより、ファームウェア２０２Ａのアップデートを長期に渡って行なわないことによる不具合が発生しないようにすることができるという効果を奏する。
【００４９】
以下、本発明の第三の実施形態であるCATVディジタル放送受信装置について説明する。
【００５０】
この実施形態のCATVディジタル放送受信装置と本発明の第ニの実施形態であるCATVディジタル放送受信装置とは、構成において同じである。
【００５１】
図４は、本発明の第三の実施形態であるCATVディジタル放送受信装置において制御部が行う動作を示すフローチャートである。この動作は、図２におけるｓ２及びｓ３の間にｓ１６及びｓ１７を追加し、ｓ１７の後にｓ１８を追加した動作である。その他の処理（ｓ１〜ｓ５）については同じである。
【００５２】
アップデートを自動で行なうことが選択されたと判断すると、制御部２は、例えば図５に示すように、アップデートの頻度に関する表示をＯＳＤ処理部６に行なわせる（ｓ１６）。この表示方法も、ｓ１と同様である。
【００５３】
図５は、アップデートの頻度に関する表示のフォーマットの一例を示す図である。
ユーザは、テレビジョン５０においてこの表示を確認し、操作部１１の選択キーによりアップデートの頻度を選択する。
【００５４】
ここで、アップデートをしない場合、現在のバージョンより後に登場した、装置本体の制御プログラムや制御データの取扱手順などに対応できないようになる等の不具合が生じる。そのため、アップデートの頻度に関する表示は、不具合が生じないことを保証できる頻度という観点の下、行うと良い。
【００５５】
なお、この実施形態では、図５において１０日に一回行なう旨の表示がなされているが、１０日に限定する趣旨ではなく、他の日数でも構わない。また、日数を直接入力する形式でも構わない。
また、図５に示すように、アップデートの頻度が少ない場合のメリットも併せて表示するのが好ましい。
【００５６】
そして、制御部２は、選択キーにより選択されたアップデートの頻度が毎回であるか定期的であるかを判断する（ｓ１７）。
【００５７】
アップデートの頻度が毎回であると判断すると、制御部２は、上述の電源停止機能を無効にし（ｓ３）、本処理を終了する。
【００５８】
一方、アップデートの頻度が定期的であると判断すると、制御部２は、装置本体１の動作モードを定期的アップデートモードに切替え（ｓ１８）、本処理を終了する。定期的アップデートモードは、制御プログラムに関するモードである。定期的アップデートモードとは、スタンバイ時において定期的にアップデートするモードである。この定期的は、ｓ１７においてユーザが選択した選択日数である。
【００５９】
これにより、制御部２は、スタンバイ時において上述の電源停止機能を有効にするが、タイマー回路２Ｃを参照してその選択日数が経つ毎に上述の電源停止機能を無効にする。
すると、スタンバイ時において、PODカード２００はアップデート信号が送信されてきていないかを監視し続けることができなくなるが、その選択日数が経つ毎にアップデート信号が送信されてきていないかを監視する。つまり、ファームウェア２０２Ａのアップデートが可能になる。
【００６０】
以上より、スタンバイ時におけるアップデートの頻度を決定させることができるという効果を奏する。
【００６１】
以下、本発明の第四の実施形態であるCATVディジタル放送受信装置について説明する。
【００６２】
図６は、本発明の第四の実施形態であるCATVディジタル放送受信装置の主要な構成を示すブロック図である。この実施形態のCATVディジタル放送受信装置１０１は、PODカード３００においてＴＳのスクランブルを解除する点で、図１のCATVディジタル放送受信装置１と異なっている。その他の点は、同じである。
【００６３】
詳述すると、PODカード３００は、インタフェース３０３と、PODカード３００を制御する制御部３０１と、ファームウェア３０２Ａを記憶する記憶部３０２と、を有する。
【００６４】
記憶部３０２は、例えばフラッシュメモリで構成される。ファームウェア３０２Ａは、PODカード３００を基本動作させるPODカード基本動作プログラムである。また、記憶部３０２は、ＴＳのスクランブルを解除するためのスクランブル解除キーを記憶する。
【００６５】
制御部３０１は、例えばＣＰＵで構成される。制御部３０１は、ファームウェア３０２Ａなどを展開するワークフィールドとしてのＲＡＭ（不図示）を内蔵する。
【００６６】
制御部３０１は、ＯＯＢ１２からインタフェース３０３を介して入力されてきたディジタルデータに誤り訂正を行って制御データを取得する。制御部３０１は、取得した制御データの中から個人情報などのスクランブル解除用データを取得する。そして、制御部３０１は、取得したスクランブル解除用データの照合を行い、照合が成立すると、スクランブル解除キーを記憶部３０２から取出す。制御部３０１は、そのスクランブル解除キーを用いて、ＩＮＢ３からインタフェース３０３を介して入力されてきたＴＳのスクランブルを解除し、デコーダ５へ出力する。
【００６７】
なお、この実施形態のCATVディジタル放送受信装置の動作は、上記複数の実施形態のCATVディジタル放送受信装置の内、いずれの動作を採用しても構わない。
【図面の簡単な説明】
【００６８】
【図１】本発明の第一の実施形態であるCATVディジタル放送受信装置の主要な構成を示すブロック図
【図２】本発明の第ニの実施形態であるCATVディジタル放送受信装置において制御部が行う動作を示すフローチャート
【図３】スタンバイ時においてアップデートを行なうか否かの表示のフォーマットの一例を示す図
【図４】本発明の第三の実施形態であるCATVディジタル放送受信装置において制御部が行う動作を示すフローチャート
【図５】アップデートの頻度に関する表示のフォーマットの一例を示す図
【図６】本発明の第四の実施形態であるCATVディジタル放送受信装置の主要な構成を示すブロック図
【符号の説明】
【００６９】
１−CATVディジタル放送受信装置
２−制御部
２Ａ−ＲＯＭ
２Ｂ−ＲＡＭ
２Ｃ−タイマー回路
３−ＩＮＢ
４−デスクランブラ
５−デコーダ
６−OSD処理部
７−OSD画像メモリ
８−D／A変換部
９−バッファメモリ
１１−操作部
１２−ＯＯＢ
１３−電源部
１５−スイッチ
１６−スイッチ
５０−テレビジョン
１０１−CATVディジタル放送受信装置
２００−ＰＯＤカード
２０１−制御部
２０２−記憶部
２０２Ａ−ファームウェア
２０３−インタフェース
３００−ＰＯＤカード
３０１−制御部
３０２−記憶部
３０２Ａ−ファームウェア
３０３−インタフェース
【図１】
2007228386.tif 000003
【図２】
2007228386.tif 000004
【図３】
2007228386.tif 000005
【図４】
2007228386.tif 000006
【図５】
2007228386.tif 000007
【図６】
2007228386.tif 000008